(57)【要約】【課題】本発明は眼内レンズ（９０）を保存する容器システム（２００）に関する。【解決手段】容器システム（２００）は、レンズ（９０）を保存する容器（２１０）と、該容器（２１０）内のレンズ（９０）を加熱する加熱装置（２２０）と、を備える。加熱されたレンズ（９０）は柔軟性が増し、より良好に小さく巻くことができるため、眼の開口部を更に小さくすることができる。【選択図】図２
2017518149.tif 000002
【特許請求の範囲】
【請求項１】
眼に挿入される眼内レンズ（９０）を加熱及び／又は保存するための容器システム（２００）であって、マガジン（４０）に予め装填された少なくとも一つのレンズ（９０）を保存するための容器（２１０）と、該容器（２１０）内の前記レンズ（９０）を加熱するための、前記容器（２１０）に組み込まれた加熱装置（２２０）及び／又は加熱装置（２２０）との接続装置と、を備える、容器システム。
【請求項２】
請求項１に記載の容器システム（２００）であって、前記レンズ（９０）と共にある前記マガジン（４０）は、閉じた前記容器（２１０）に置かれ、該マガジン（４０）が前記容器（２１０）を開いた後にインジェクタ（１００）と接続可能であること、及び／又は、前記レンズ（９０）と共にある前記マガジン（４０）は、開かれた前記容器（２１０）に挿入可能であり、該マガジン（４０）がインジェクタ（１００）と接続されることを特徴とする、容器システム。
【請求項３】
請求項１又は２の何れか一項に記載の容器システム（２００）であって、前記容器（２１０）は、前記レンズ（９０）を保存及び／又は加熱するための液体（２１２）が予め充填されている、容器システム。
【請求項４】
請求項１〜３の何れか一項に記載の容器システム（２００）であって、前記加熱装置（２２０）は前記保存されたレンズ（９０）を約２５℃〜４０℃の範囲の温度に加熱するように構成される、容器システム。
【請求項５】
請求項１〜４の何れか一項に記載の容器システム（２００）であって、前記加熱装置（２２０）は、潜熱蓄熱及び／又は電気式加熱装置を備える、容器システム。
【請求項６】
請求項１〜５の何れか一項に記載の容器システム（２００）であって、前記加熱装置（２２０）は前記容器（２１０）の外面に配置されるか又は配置可能である、容器システム。
【請求項７】
請求項１〜６の何れか一項に記載の容器システム（２００）であって、前記加熱装置（２２０）が駆動するためのスイッチを備える、並びに／又は、前記加熱装置（２２０）が手動及び／若しくは自動で駆動させることができる、容器システム。
【請求項８】
請求項１〜７の何れか一項に記載の容器システム（２００）であって、前記加熱装置（２２０）と前記容器（２１０）とは、前記加熱装置（２２０）が前記容器（２１０）の接続又は開放時に駆動可能となるように、相互に連結されるか又は連結可能である、容器システム。
【請求項９】
請求項１〜８の何れか一項に記載の容器システム（２００）であって、前記加熱装置（２２０）と前記容器（２１０）の蓋（２１１）とは、前記加熱装置（２２０）が前記蓋（２１０）の開放時に駆動可能となるように、相互に連結されるか又は連結可能である、容器システム。
【請求項１０】
請求項１〜９の何れか一項に記載の容器システム（２００）であって、前記容器システム（２００）は、安定して立つように構成される、容器システム。
【請求項１１】
請求項１〜１０の何れか一項に記載の容器システム（２００）であって、前記容器（２１０）の下面（２１５）は、該容器（２１０）の中心領域よりも大きな断面積を有する、容器システム。
【請求項１２】
請求項１〜１１の何れか一項に記載の容器システム（２００）であって、前記容器（２１０）は、好適に、実質的に平面の下面（２１５）及び／又は該下面（２１５）に対して傾斜した上面（２１６）を有する、容器システム。
【請求項１３】
請求項１２に記載の容器システム（２００）であって、前記容器（２１０）は、前記下面（２１５）に対して傾斜し、好適には実質的に平面の第１側壁（２１７）、及び／又は、前記下面（２１５）に対して傾斜し、好適にはステップ（２１９）をもつ第２側壁（２１８）、を有する、容器システム。
【請求項１４】
請求項２〜１３の何れか一項に記載の容器システム（２００）であって、前記容器（２１０）は、前記マガジン（４０）及び／又は前記インジェクタ（１００）の一部のための受け入れ領域（２１４）を有し、該受け入れ領域が、前記マガジン（６０）及び／又は前記インジェクタ（１００）に実質的に適合する、容器システム。
【請求項１５】
請求項１４に記載の容器システム（２００）であって、前記受入れ領域（２１４）の長手方向軸（Ｌ）は、前記容器（２１０）の前記下面（２１５）に対して傾斜している、容器システム。
【請求項１６】
請求項１〜１５の何れか一項に記載の容器システム（２００）であって、前記容器（２１０）及び／又は前記マガジン（４０）は、実質的に透明である、容器システム。
【請求項１７】
請求項１〜１６の何れか一項に記載の容器システム（２００）を構成するために容器（２１０）を組み込むためのキットであって、容器（２１０）内のマガジン（４０）に予め装填されたレンズ（９０）を加熱するための、該容器（２１０）に接続可能な加熱装置（２２０）、及び／又は、該容器（２１０）に接続可能な、加熱装置（２２０）との接続装置（２２１）を備える、キット。
【発明の詳細な説明】
【技術分野】
【０００１】
本発明は挿入される眼内レンズを保存するための容器システムに関する。
【背景技術】
【０００２】
眼内レンズはヒトの眼の水晶体の代わりとなる、挿入レンズ又は人工レンズである。眼内レンズは特に、水晶体の濁り（白内障）に侵された眼の水晶体と交換するために使用される。罹患した水晶体は手術によって取り除かれ、眼内レンズが挿入される。眼への挿入は、例えば、いわゆるインジェクタによって行われる。この点に関して、眼内レンズを挿入するための外科的切開はできるだけ小さい（例えば約２．５ｍｍ）ことが重要である。これにより、合併症を発症させず、縫合の必要をなくす可能性もある、可及的速やかな治癒過程が提供される。
【０００３】
通常、直径約５〜７ｍｍの眼内レンズの挿入を可能にするためには、約２．５ｍｍの小さな切開に通すため、レンズは折り畳み可能でなくてはならない。
【０００４】
ヒトの眼にレンズを折り畳んで挿入するインジェクタは、例えば、国際公開第2011/155887 Al号パンフレットに記載されている。この特許出願の内容、特にそれに記載されているマガジンに関する内容を全て、本特許出願に参照として援用する。
【０００５】
それに記載されているのは、一時的に折り畳まれた眼内レンズを挿入する又は入れるためのインジェクタであり、このインジェクタは、折り畳まれたレンズを、必要とされる約２．５ｍｍの大きさの切開を通して眼の水晶体嚢へ挿入するために使用することができる。
【０００６】
一実施形態において、インジェクタシステムに装填するために、レンズの装填されたマガジンを手術のほんの少し前にインジェクタに接続する。従って、例えばレンズの製造者によって制御された状態で、レンズをマガジンに事前に装填することができる。装填されたマガジンは、好適には滅菌液の充填されたブリスター・パッケージなどの保存容器に、滅菌条件下で保存することができる。
【先行技術文献】
【特許文献】
【０００７】
【特許文献１】国際公開第2011/155887 Al号パンフレット
【発明の概要】
【発明が解決しようとする課題】
【０００８】
上述の背景に対し、本発明は、レンズの眼への導入を更に向上させるという課題に基づくものである。
【０００９】
特に、挿入するレンズを更に小さく丸めることも可能だろう。
【課題を解決するための手段】
【００１０】
この課題は独立請求項による容器システムによって達成される。有利な実施形態は、従属請求項、明細書及び／又は図面の主題である。
【００１１】
レンズの温度はレンズの折り畳み、レンズの眼への挿入及び／又はレンズの展開（unfolding）にとって重要な役割を持つことがわかった。加熱されたレンズは尚更しなやかで柔軟性があり、より小さく丸めることが可能であるため、眼の開口（切開）を更に小さくすることができる。更に温まったレンズは眼への挿入後、より早く展開する。
【００１２】
従って一般に、本発明では、従来技術に記載された保存容器（以下、容器と称する）を、加熱装置を備えるように更に改善することを考えている。
【００１３】
詳述すると、本発明はレンズを加熱及び／又は保存するための容器システムを提供し、この容器システムは以下の構成部品、すなわち、マガジンに予め装填された少なくとも一つのレンズを保存する容器と、容器内のマガジンに予め装填されたレンズを加熱するための、容器に組み込まれた加熱装置及び／又は加熱装置との接続装置と、を備える。好適には、レンズは眼に挿入される眼内レンズである。
【００１４】
従来技術とは対照的に、マガジンは加熱槽に載置されるのではなく、本発明の第１の変形例によれば、容器は加熱装置と共に設けられる、又は、製造される。加熱装置は容器に組み込まれる。加熱装置と容器は機能ユニットを形成する。
【００１５】
本発明の第２の変形例によれば、容器は、直接加熱装置と共に提供されるのではない。容器は加熱装置との接続装置と共に提供される。接続装置は容器に組み込まれている。接続装置及び容器は機能ユニットを構成又は形成する。この場合、加熱装置は別途提供される。例えば、接続装置を介して容器と接続させることの可能な、一種の充電ステーションとして設けてもよい。
【００１６】
本発明によれば、レンズはそれ自体、容器に保存されるか、保存可能なのではなく、マガジン及び／又はインジェクタに予め装填される。マガジンは、マガジンに装填されたレンズと共に、任意選択でインジェクタと共に、容器に載置されるか又は載置可能となる。具体的には、第１実施形態において、容器を開いた後に、マガジンをインジェクタに直接接続することができる。第２実施形態において、マガジン及びレンズを加熱することが可能なように、予め充填されたインジェクタを容器に安定的に載置することが可能である。
【００１７】
第１実施形態において、レンズを含むマガジンは閉じた状態の容器にすでに配置されている。具体的に、容器システムは、マガジンがレンズと共に閉じた容器に置かれることを特徴とする。容器を開けた後に、マガジンをインジェクタと接続させることができる。これは親水性レンズに特に適している、というのも親水性レンズは溶液に保存されるからである。
【００１８】
疎水性レンズもこのように置いて、保存することができる。しかしながら、どちらのタイプのレンズも容器の外に置いて保存し、操作前に容器に予め載置されたインジェクタを介して間接的に加熱して、操作の準備をすることができる。
【００１９】
第２実施形態において、容器は最初レンズを含んでいない。しかしながら、容器にはすでに液体が充填されている。マガジン内に予め装填されたレンズは、加熱のみのために開かれた容器に導入される。マガジンはマガジンに保存されたレンズと共に容器に導入される。この場合、マガジンは予めインジェクタに組み付けられている。容器システムは、マガジンがレンズと共に開いた容器内に、好適には確実に載置可能であることを特徴とする。この場合、マガジンはすでにインジェクタと接続されている。これは特に疎水性レンズに適している、というのもこのようなレンズは、マガジン及び／又はインジェクタと共に、好適には溶液に浸漬せずに保存することができるからである。
【００２０】
更なる実施形態において、容器は、マガジン及び／又はインジェクタの一部のための受入れ領域を有する。この受入れ領域は、好適には、マガジン及び／又はインジェクタの前部に実質的に適合した形状である。一変形例によれば、受入れ領域はマガジン及び／又はインジェクタの一部に実質的に適合させて設けてある。ほぼ正確に適合した形状により、特にインジェクタが容器に挿入される際、インジェクタ、マガジン及び／又はレンズに対する損傷リスクが低減されるか、回避される。
【００２１】
一実施形態において、容器は安定的に直立した容器として提供される。これによって容器の更なる利点が明らかとなる。このため、マガジンに連結されたインジェクタに安定した支持状態が提供される。その状態において、予め装填されたインジェクタは、ユーザが必要とするまで準備のできた状態で手術台に設けることができる。
【００２２】
上述の様に、レンズ、又は、レンズ及びマガジンは、特に容器の液体中に保存することができる。このような保存液の例として、滅菌された食塩水がある。液体の体積は、例えば、約２０ｍｌ未満、又は１０ｍｌ未満、好適には４ｍｌ〜５ｍｌである。
【００２３】
加熱装置は、約２５℃又は３０℃〜４０℃、好適には３７℃〜４０℃の範囲の目標温度にレンズを加熱するために好適に適合される。これは特に約４℃〜約２５℃の開始温度で開始する場合に可能である。一実施形態によれば、目標温度には約３０秒後に到達しなければならない、及び／又は目標温度は約１分〜約２０分の間、実質的に維持されなければならない。
【００２４】
本発明による容器システムは、使い捨てシステム又は再利用可能システムとして提供することができる。これは特に加熱装置が、例えば使用後に充電可能か否かによる。どちらの変形例においてもすでにレンズを含んでいるか、又は、使用前にレンズを装填することができる。これは特に疎水性レンズを使用するか親水性レンズを使用するかによる。
【００２５】
一実施形態において、加熱装置は潜熱蓄熱を備え、これは例えば、酢酸ナトリウムなどの飽和食塩水及び／又はパラフィンに基づくものである。潜熱蓄熱の利点は、特に、安価であること、組み込みが容易であること、外部又は内部の電源を必要とせずに操作できること、更には大きな損傷なく滅菌処理、例えばオートクレーブ処理してあること、及び／又は、再利用できることである。特に、潜熱蓄熱は別個の熱供給を必要とせず、特にオートクレーブにより、滅菌中の充電が可能である。
【００２６】
加熱装置の別の実施形態において、加熱装置には電気式加熱装置が含まれる。従って必要とされる電力供給は、好適には、電池又はアキュムレータによって行われる。好適には、電力供給は、外部の電力供給によって行われない。この種の加熱は、特に、正確な目標温度が長期にわたって維持されるという利点を提供する。
【００２７】
加熱装置は容器の外面に配置することができる。加熱装置は、例えば、その中に容器を導入して加熱することのできる充電ステーションとして提供される。本実施形態において、加熱装置はその接続装置を介して容器に接続可能である。
【００２８】
好適な実施形態において、加熱装置は容器の外面に配置される。一実施形態において、例えば、加熱装置は容器に組み込まれる。こうすることによってコンパクトなシステムを提供することが可能となる。
【００２９】
好適には、加熱装置は駆動用のスイッチを有する。加熱装置は手動、又は自動で駆動するように構成することができる。
【００３０】
一実施形態において、加熱装置及び容器は、容器が開かれる時に加熱装置が駆動する、又はスイッチが入るように、相互に連結させる、又は、連結させることができる。別の実施形態において、加熱装置及び容器の蓋は、蓋を開ける際又は取り除く際に加熱装置が駆動するように、相互に連結させる、又は連結させることができる。
【００３１】
上述の様に、一実施形態において、容器又は容器システムは、インジェクタがマガジンに接続されている場合であっても安定して立っているように構成される。
【００３２】
特に容器システムの安定性及び／又は操作性を改善するために、容器の下面は容器の中心領域よりも大きな断面積を有する。
【００３３】
第１実施形態において、容器は、好適には、実質的に平面の下面及び／又は下面に対して傾斜した上面を有する。
【００３４】
第２実施形態において、容器は、下面に対して傾斜した、好適には実質的に平面の第１側壁、及び／又は第１側壁に対向し、下面に対して傾斜した、好適にはステップを有する第２側壁を有する。特にステップにより、蓋を剥がす際、容器はユーザによって確実に保持することができる。好適には、平面的な側壁と下面とで、９０°＜α１≦１２０°の角度α１を囲む。
【００３５】
第３実施形態において、受入れ領域の長手方向軸Ｌは容器の下面に対して傾斜している。好適には、この場合、受入れ領域の長手方向軸Ｌと下面とで、９０°＞α２＞６０°の角度α２を囲む。
【００３６】
本発明の容器システムは、レンズ一枚のみ、レンズを含むマガジン、及び／又はインジェクタシステム全体を保存するために使用することができる。容器システムの寸法及び／又は形状は、とりわけ、挿入される眼内レンズ及び／又はマガジンの設計に依存する。例えば容器システムは、全てのソフトな折り畳み可能な眼内レンズに適している。このようなレンズは、例えば、アクリル、シリコーン、及び／又はヒドロゲルから成る。容器システムは、特に含水率が２２％〜５０％の親水性レンズ、及び／又は通常柔軟性の低い疎水性レンズに使用することができる。
【００３７】
寸法を特定するために、以下、すなわち、高さＺ，長さＹ，幅Ｚのパラメータが導入される（図４ｃ及び図４ｄ参照）。コンパクトな容器システムを得るために、以下の値、すなわち、例えば、２０ｍｍ≦Ｘ≦５０ｍｍ、好適には３０ｍｍ≦Ｘ≦４０ｍｍ、及び／又は６０ｍｍ≦Ｙ≦１００ｍｍ、好適には７５ｍｍ≦Ｙ≦８５ｍｍ、及び／又は５０ｍｍ≦Ｚ≦９０ｍｍ、好適には６０ｍｍ≦Ｚ≦８０ｍｍが可能である。
【００３８】
本発明の更なる実施形態において、容器及び／又はマガジンは実質的に透明に製造される。これによって特にインジェクタの容器及び／又はマガジンへの挿入を視覚的に確認することができる。
【００３９】
加熱装置及び／又は加熱装置との接続装置は、容器内及び／又は容器上に組み込んだ形態で設けることができる。しかしながら、従来の容器を本発明による加熱装置及び／又は本発明による加熱装置との接続装置に組み込むことも可能である。
【００４０】
従って、上述の実施形態の内の少なくとも一つによる容器システムを構成するための、容器を組み込むキットも本発明の範囲内である。キットは、容器に接続可能な加熱装置、及び／又は容器内のマガジンに予め装填されたレンズを加熱するための、容器に接続可能な加熱装置との接続装置を備える。
【００４１】
以下の例示的実施形態に従い、本発明をより詳細に説明する。このために添付の図面を参照する。各図面の同じ参照符合は同じ部品を示している。
【図面の簡単な説明】
【００４２】
【図１】充填されたマガジンに組み付けられた状態のインジェクタシステムを示す図である。
【図２】加熱装置の組み込まれた、概略的に示された容器に載置されたマガジンへのインジェクタシステムの装填を示す外観斜視図である。
【図３ａ】組み込まれていない加熱装置への容器の接続を示す外観斜視図である。
【図３ｂ】組み込まれていない加熱装置への容器の接続を示す外観斜視図である。
【図４ａ】マガジンの保存された容器を示す図である。
【図４ｂ】マガジンの保存された容器を示す図である。
【図４ｃ】マガジンの保存された容器を示す図である。
【図４ｄ】マガジンの保存された容器を示す図である。
【図５ａ】容器システムに導入される状態の、好適にはマガジンが予め装填されたインジェクタシステムを示す斜視図である（ここでは透過的に示す）。
【図５ｂ】容器システムに導入される状態の、好適にはマガジンが予め装填されたインジェクタシステムを示す斜視図である（ここでは透過的に示す）。
【図６ａ】マガジンが予め装填された容器システムへのインジェクタの挿入及び除去を示す斜視図である。
【図６ｂ】マガジンが予め装填された容器システムへのインジェクタの挿入及び除去を示す斜視図である。
【図６ｃ】マガジンが予め装填された容器システムへのインジェクタの挿入及び除去を示す斜視図である。
【図６ｄ】マガジンが予め装填された容器システムへのインジェクタの挿入及び除去を示す斜視図である。
【図６ｅ】マガジンが予め装填された容器システムへのインジェクタの挿入及び除去を示す斜視図である。
【図７】マガジンが予め装填されたインジェクタの空の容器システムへの挿入を示す斜視図である。
【発明を実施するための形態】
【００４３】
図１は組み付けられた状態のインジェクタシステム１００を示している。インジェクタシステム１００を構成するモジュールは、ハウジング１０、スライダ２０、ニードル３０及びマガジン４０を含んでいる。
【００４４】
マガジン４０は、好適には差し込んでニードル３０に載置される。例えば、ニードル３０及びマガジン４０は相互にスナップ結合されている。マガジン４０には、好適には、レンズ９０が装填され、レンズ９０は、マガジン４０がインジェクタ１００又はニードル３０にそれぞれ取り付けられる前に、保持フラップ６０によってマガジン４０に固定される（これに関しては図２参照のこと）。
【００４５】
インジェクタ１００の初期運転前に、先ず、保存容器２１０が開かれる。このために、例えば、蓋２１１が端面２１３から剥離される（これに関しては図２参照のこと）。この場合、インジェクタ１００を少なくともそのニードル３０によって保存容器２１０に差し込み、マガジン４０をニードル３０に取り付ける。これにより、滅菌状態が長期間にわたって維持され、ニードル３０が保存液２１２で湿り、レンズ９０及びスライダ２０はニードル３０内でより良好に摺動するという利点が提供される。
【００４６】
更に、図２は本発明による加熱装置２２０を略的に示している。例えば、第１実施形態による容器システム２００は、加熱装置２２０が組み込まれた容器２１０を備えている。加熱装置２２０は容器２１０の外面に配置される。加熱装置２２０は容器２１０に組み込まれる。容器２１０及び加熱装置２２０は機能ユニットを構成又は形成する。例えば、潜熱蓄熱の材料は容器２１０の、例えば左側及び／又は右側のキャビティに充填され、特に小さな金属プレート（図示せず）を容器２１０の外壁に組み込むことができる。小さなプレートはスイッチの機能を果たす。小さなプレートを押すことによって加熱が開始される。起動は、例えば、図示しない何らかの連結によって蓋２１１が開いた時にも生じる。好適には、本発明は、容器２１０に保存された少なくとも一つのレンズ９０と、容器２１０内のレンズ９０を加熱する加熱装置２２０とを有する容器２１０を備えた、レンズ９０を保存する容器システム２００を提供する。加熱装置２２０による加熱は容器２１０を通して達成される。
【００４７】
図２は、好適に容器２１０と恒久的に接続されるユニットとしての加熱装置２２０を示している。しかしながら、加熱装置２２０は、図示しない従来の容器２１０を組み込むために使用することのできる、ある種のキットとして提供することもできる。
【００４８】
図３ａ及び図３ｂは、組み込まれていない加熱装置２２０のための組み込み接続装置２２１を有する容器２１０を備えた、第２実施形態による容器システム２００を示している。加熱装置２２０は、容器２１０がその接続装置２２１を介して接続されて加熱される、例えば、一種の充電ステーションとして提供される。このため、容器２１０は、例えば、加熱装置２２０（図３ａ）の方に向って移動する。図３ｂは最終的な接続状態を示している。
【００４９】
これらの図は、容器２１０に好適には恒久的に接続されるユニットとして接続装置２２１を示している。しかしながら接続装置２２１は、従来の容器２１０を組み込むために使用することのできる、特に加熱装置２２０と組み合わせた、図示しない一種のキットとして提供することもできる。
【００５０】
図４ａ〜図４ｄは、マガジン４０用空容器２１０の種々の斜視図を示している。容器２１０は蓋２１１が既に剥離された状態で、種々の斜視図で示される。容器２１０は直立アイテム２１０として設計されている。直立アイテム２１０は予め装填されたインジェクションシステム１００の支持又は一時的な保存を行う（これに関しては図５ａ及び図５ｂを参照のこと）。マガジン４０は、インジェクタ１００を容器２１０に挿入することにより、インジェクタ１００に取り付けることができる。側壁は加熱装置２２０を載置することのできる、図示しない凹部を有する。容器２１０の材料には、例えばポリプロピレンが含まれる。蓋２１１には、例えば、金属、好適にはアルミニウムを使用することができる。容器２１０及び加熱装置２２０として潜熱蓄熱を備えるこのような閉じた容器システム２００は更に、オートクレーブの要求事項を満たしている。蓋は省いてもよいし、又は、例えば、エチレンオキシド（ＥｔＯ）若しくはガンマ放射などの更なる滅菌法の要求事項を満たすように、半透過性のものであってもよい。
【００５１】
図４ｃ（斜視側面図）及び図４ｂ（上面２１６平面図）は、本発明による容器システム２００の寸法を示している。このために、高さＺ，長さＹ及び幅Ｘをここで導入する。特にコンパクトな容器システム２００を提供するために、以下、すなわち、３３ｍｍ≦Ｘ≦３７ｍｍ、７７ｍｍ≦Ｙ≦８３ｍｍ及び／又は６３ｍｍ≦Ｚ≦７１ｍｍの値とすることができる。図４ｄにおいて、Ｚ軸はシート面に垂直に延在している。
【００５２】
特に安定性及び／又は操作性を向上させるために、上面２１６と側壁２１７及び２１８とは、容器２００の下面２１５に対して傾斜している。側壁２１７は下面２１５に対してα１の角度で傾斜している。側壁２１８の上部も下面２１５に対してα１の角度で傾斜している。好適には９５°≦α１≦１１０°である。更に、受入れ領域２１４の長手方向軸Ｌは下面２１５に対してα２の角度で傾斜している。α２の角度は、好適には８５°＞α２＞７５°である。
【００５３】
容器２１０の下面２１５は容器２１０の中心領域よりも大きな断面積を有する。特にこの点に関して、ステップ２１９が側壁２１８に設けられる。横方向に突出するステップ２１９により、容器２１０はユーザによって安全に保持することができる。
【００５４】
図５ａ及び図５ｂは、マガジン６０及びインジェクタ１００の挿入された容器システム２００を示している。容器２１０は直立アイテムとして設計され、安定して立っている。つまり、インジェクタ１００を挿入する、しないに関わらず、容器システムに垂直な重心は、容器システム２００の軸受表面及び／又は容器２１０の軸受表面と交差する。インジェクタの挿入された容器システムは、例えば、手術台に、使用できる状態で安定的に提供することができる。マガジン６０はレンズ９０と共に、閉じた容器２１０に予め設けることができる。容器２１０を開けた後にインジェクタ１００をマガジンに導入することもできる（これに関しては図６ａ〜図６ｅを参照のこと）。しかしながら、閉じた容器２１０を最初はレンズ９０なしで提供することもできる。そしてマガジン６０を、レンズ９０及びインジェクタ１００と共に、開いた容器２１０に導入して加熱する（これに関しては図７参照）。図５ａ及び図５ｂは更なる利点を示す。レンズ９０を加熱してその柔軟性を増大させることに加え、ニードル３０も目標温度に加熱する。このようにして高められたニードル３０の柔軟性は、より小さな切開を可能にし、柔軟性の小さなレンズ９０の導入を容易にすることによって、手術プロセスの向上に貢献する。これは摺動改善プロセスを利用することによって更に促進させてもよい。摺動改善プロセスは、コーティング又は被覆プロセスによって達成することができる。
【００５５】
最後に、図６及び図７は、容器システム２００の設けられた、又はこれを作動させることのできる種々の構成を再び示している。
【００５６】
先ず、図６ａ〜図６ｅは、インジェクタ１００の、マガジン４０が予め充填された容器システム２００への導入を示している。図６ａは蓋２１１が既に剥離された容器２１０を示している。図６ｂは更に、容器２１０及びマガジン４０に矢印の方向に挿入されるインジェクタ１００を示している。図６ｃは接続する少し前の、接近したインジェクタ１００の拡大図を示している。図６ｄは図５ｂに対応し、マガジン４０に接続された状態のインジェクタ１００を示している。受入れ領域２１４に受け入れられているのはマガジン４０だけではないことがわかる。受入れ領域２１４にはインジェクタの一部も受け入れられており、この場合、例えば、ニードル３０及び／又は折り畳みボディ５１も受け入れられている。図６ｅはマガジン４０の載置されたインジェクタ１００の後退を示している。この変形例は特に親水性レンズに適しているが、疎水性レンズ９０にも適している。
【００５７】
最後に、図７は空の容器システム２００を示している。この場合、マガジン４０は容器２１０に予め装填されていない。この場合は反対に、インジェクタ１００にはすでにマガジン４０が装填されている。このように予め装填されたインジェクタ１００は、マガジン４０に保存されたレンズ９０を加熱するために、その前端を矢印の方向に向けて容器２１０に導入される。容器２１０は空であってもよいし、例えば液体２１２を充填してもよい。後者の場合、容器２１０には予め液体２１２を充填していてもよいし、開いた後に液体２１２を充填してもよい。この変形例は特に疎水性レンズ９０に適している。
【００５８】
当業者には上述の実施形態が例としてのみ記載されていることが明らかであろう。本発明はこれらの実施形態に限定されず、本発明の趣旨から逸脱することなく、多くの方法で変更することができる。
【００５９】
個々の実施形態の特徴を相互に組み合わせたり、明細書全体に記載された特徴と組み合わせることもできる。
【符号の説明】
【００６０】
１０  インジェクタボディ、インジェクタハウジング、ハウジング、又はハンドセット
１１  インジェクタボディのハンドル
２０  スライダ、プランジャ又はレンズスライダ
２１  ハンドル又はスライダハンドル
３０  ニードル、眼に挿入するための管、又はレンズ排出ボディ
３１  搬送経路又は供給経路
４０  レンズ保存用マガジン又は容器
５０  折り畳みフラップ、折り畳みプレートサポート又はフラップ
５１  折り畳みボディ、折り畳みプレート又は折り畳みリブ
６０  保持器、保持フラップ又はフラップ
９０  レンズ又は眼内レンズ
１００  インジェクタ、インジェクタシステム又はアプリケータ
１００ａ  インジェクタの前端
１００ｂ  インジェクタの後端
２００  容器システム
２１０  容器
２１１  容器の蓋
２１２  保存液
２１３  容器の蓋用の係合表面
２１４  容器内のマガジン及び／又はインジェクタの前部のための受入れ領域
２１５  容器の下面
２１６  容器の上面
２１７  容器の第１の、好適には平らな側壁
２１８  容器の第２側壁
２１９  第２側壁のステップ又はよじれ
２２０  加熱装置
２２１  加熱装置用接続装置
【図１】
2017518149.tif 000003
【図２】
2017518149.tif 000004
【図３ａ】
2017518149.tif 000005
【図３ｂ】
2017518149.tif 000006
【図４ａ】
2017518149.tif 000007
【図４ｂ】
2017518149.tif 000008
【図４ｃ】
2017518149.tif 000009
【図４ｄ】
2017518149.tif 000010
【図５ａ】
2017518149.tif 000011
【図５ｂ】
2017518149.tif 000012
【図６ａ】
2017518149.tif 000013
【図６ｂ】
2017518149.tif 000014
【図６ｃ】
2017518149.tif 000015
【図６ｄ】
2017518149.tif 000016
【図６ｅ】
2017518149.tif 000017
【図７】
2017518149.tif 000018
【国際調査報告】
2017518149.tif 000019
2017518149.tif 000020
2017518149.tif 000021
2017518149.tif 000022
2017518149.tif 000023
2017518149.tif 000024